(57)【要約】  【課題】  触り心地が良く、装飾性に優れたアクセサリを提供すること。  【解決手段】  アクセサリ１は、所定形状を有する基台部材１１と、この基台部材１１上に融着された湾曲形状を有する透明なカバー部材１２と、基台部材１１又はカバー部材１２に取り付けられ、アクセサリ１全体を吊り下げることができる吊り下げ部材１３とから主に構成されている。    【選択図】  図１
2005160854.tif 000002
【特許請求の範囲】
【請求項１】
所定形状を有する基台部材と、前記基台部材上に載置された印刷部材と、前記印刷部材を覆うようにして前記基台部材に融着された湾曲形状を有するカバー部材と、を具備  することを特徴とするアクセサリ。
【請求項２】
前記基台部材は、布シートと、前記布シート上に接着層を介して設けられた発泡材シートと、前記発泡材シート上に接着層を介して設けられた硬質シートと、前記硬質シート上に接着層を介して設けられた樹脂シートとを含むことを特徴とする請求項１記載のアクセサリ。
【請求項３】
前記布シートは、ポリアミド繊維を含むことを特徴とする請求項２記載のアクセサリ。
【請求項４】
前記基台部材と前記カバー部材との融着は、高周波を印加しながら加熱する高周波ウェルダにより行われることを特徴とする請求項１から請求項３のいずれか一項記載のアクセサリ。
【請求項５】
前記印刷部材は、紙又はプラスチックシートであることを特徴とする請求項１から請求項４のいずれか一項記載のアクセサリ。
【請求項６】
前記基台部材及び前記カバー部材は融着専用領域を含むことを特徴とする請求項１から請求項５のいずれか一項記載のアクセサリ。
【請求項７】
前記基台部材及び前記カバー部材との間に形成される空間部に、流体が入れられていることを特徴とする請求項１から請求項６のいずれか一項記載のアクセサリ。
【請求項８】
前記印刷部材の上に載置された透明シートをさらに具備することを特徴とする請求項１から請求項７のいずれか一項記載のアクセサリ。
【発明の詳細な説明】
【技術分野】
【０００１】
本発明はアクセサリに関し、特に装飾性に優れた携帯電話用のアクセサリに関する。
【背景技術】
【０００２】
近年の携帯電話の急激な普及に伴い、携帯電話の装飾性を向上させるために、携帯ストラップなどのアクセサリが数多く売り出されている。数多い携帯ストラップのうち一つの例として、図４に示すような、所定形状にプレス加工した金属板２４の一方の表面に印刷を施し、その印刷面上に透明のエポキシ樹脂２２を隆起状に塗布した後、硬化させて形成したものがある。
【発明の開示】
【発明が解決しようとする課題】
【０００３】
しかしながら、このような携帯ストラップ２０は、硬化したエポキシ樹脂２２の触り心地が良くなく、装飾性にも優れたものではない。また、本体が金属板２４から形成され、使用中に身体を損傷するという危険性もある。
【０００４】
本発明はかかる点に鑑みてなされたものであり、触り心地が良く、装飾性や安全性に優れた携帯電話などのアクセサリを提供することを目的とする。
【課題を解決するための手段】
【０００５】
本発明のアクセサリは、所定形状を有する基台部材と、前記基台部材上に載置された印刷部材と、前記印刷部材を覆うようにして前記基台部材に融着された湾曲形状を有するカバー部材と、を具備することを特徴とする。
【０００６】
本発明のアクセサリにおいては、前記基台部材は、布シートと、前記布シート上に接着層を介して設けられた発泡材シートと、前記発泡材シート上に接着層を介して設けられた硬質シートと、前記硬質シート上に接着層を介して設けられた樹脂シートとを含むことが好ましい。
【０００７】
本発明のアクセサリにおいては、前記布シートは、ポリアミド繊維を含むことが好ましい。
【０００８】
本発明のアクセサリにおいては、前記基台部材と前記カバー部材との融着は、高周波を印加しながら加熱する高周波ウェルダにより行われることが好ましい。
【０００９】
本発明のアクセサリにおいては、前記印刷部材は、紙又はプラスチックシートであることが好ましい。
【００１０】
本発明のアクセサリにおいては、前記基台部材及び前記カバー部材は融着専用領域を含むことが好ましい。
【００１１】
本発明のアクセサリにおいては、前記基台部材及び前記カバー部材との間に流体が入れられていることが好ましい。      
【００１２】
本発明のアクセサリにおいては、前記印刷部材の上に載置された透明シートをさらに具備することが好ましい。
【発明の効果】
【００１３】
本発明のアクセサリによれば、所定形状を有する基台部材と、前記基台部材上に載置された印刷部材と、前記印刷部材を覆うようにして前記基台部材に融着された湾曲形状を有するカバー部材と、を具備するので、触り心地が良く、装飾性に優れたアクセサリを提供することができる。
【発明を実施するための最良の形態】
【００１４】
以下、本発明の実施の形態について、添付図面を参照して詳細に説明する。
図１は、本発明の一実施の形態に係るアクセサリ１を示す斜視図である。アクセサリ１は、所定形状を有する基台部材１１と、基台部材１１上に載置された印刷部材１４と、基台部材１１に融着された透明なカバー部材１２と、アクセサリ１を吊り下げることができる吊り下げ部材１３とから主に構成されている。
【００１５】
基台部材１１は、アクセサリ１の外形形状と同一の形状を有しており、例えば、野球のユニフォーム形状など、装飾的な形状を自由に選択することが可能である。基台部材１１の材料としては、後記する各種樹脂や布を用いることができる。カバー部材１２は、基台部材１１と同一の形状を有しており、装飾的な形状を自由に選択できることは同様である。カバー部材１２の材料としては、ポリ塩化ビニル、ポリエチレン、ポリプロピレン、ポリエステルなどの透明プラスチックシートとして通常使用されている材料を用いることができる。吊り下げ部材１３は、紐状や鎖状の両端部を有する部材で、一方の端部１３Ａがアクセサリ１の頂部に形成された接続部１１Ａに連結され、他方が輪部１３Ｂを形成して携帯電話などに取り付け可能とされている。
【００１６】
図２は、本発明の一実施の形態に係るアクセサリを示す断面図である。
基台部材１１上には、印刷部材１４が載置されている。印刷部材１４は、基台部材１１とほぼ同一の形状で基台部材１１よりは僅かに小さな寸法であり、その表面には、アクセサリ１の装飾効果を発揮するための、種々の文字や図形などが表示されている。この文字や図形は、例えば、パソコン上で図形ソフトなどを使用して自由にデザインし、プリンターを使用して印刷することが可能である。印刷部材１４の材料としては、紙や薄手のプラスチックシートなどを用いることができる。プラスチックシートを構成する材料としては、ポリ塩化ビニル、ポリエチレン、ポリプロピレン、ポリエステルなど通常使用されている材料を用いることができる。
【００１７】
印刷部材１４上には、透明シート１６が被せられている。透明シート１６は、基台部材１１とほぼ同一の形状で基台部材１１よりは僅かに小さな寸法かつ印刷部材１４より僅かに大きな寸法である。透明シート１６は、印刷部材１４の文字や図形を見える状態で保護すると共に、その外周部分で印刷部材１４を取り囲んで印刷部材１４が位置ずれすることを防止する。透明シート１６の材料としては、ポリ塩化ビニル、ポリエチレン、ポリプロピレン、ポリエステルなどの通常使用されている材料を用いることができる。なお、この透明シート１６は、必ず設ける必要はなく、印刷部材１４が基台部材１１に固定される他の方法、例えば、印刷部材１４を基台部材１１に接着する方法を採る場合には、設けなくても良い。
【００１８】
アクセサリ１には、基台部材１１、印刷部材１４及び透明シート１６を覆うように湾曲した透明なカバー部材１２が載置されている。カバー部材１２は、基台部材１１の形状に合わせ、かつ基台部材１１と同じ大きさからなるものである。このカバー部材１２の内部は、空気１７で満たされており、エアークッションのような機能を果たす。これにより、印刷部材１４の文字や図形を目立たせることができ、アクセサリ１の触り心地や装飾性を向上させることができる。
【００１９】
基台部材１１とカバー部材１２とは、融着専用領域である外周部分１５、いわゆる耳部分において融着されている。外周部分１５の幅は、特に限定はないが、０．２〜０．３ｍｍであることが望ましい。この外周部分１５を設けることにより、アクセサリ１では永年の使用によっても、基台部材１１とカバー部材１２が剥がれてしまうことがない。なお、この耳部分については、必ず設ける必要はなく、他の方法により基台部材１１とカバー部材１２とを確実に融着することができれば、設けなくても良い。
【００２０】
図３は、本発明の一実施の形態に係るアクセサリ１の基台部材１１の構成を示す断面図である。
図３に示す基台部材１１は、最下層である布シート１１１と、布シート１１１上に接着層１１２を介して設けられた発泡材シート１１３と、発泡材シート１３上に接着層１１４を介して設けられた硬質シート１１５と、硬質シート１１５上に接着層１１６を介して設けられた樹脂シート１１７とから主に構成されている。  
【００２１】
布シート１１１としては、基本的に撥水性の材料であることが好ましい。例えば、ポリエステル繊維とポリアミド繊維（ナイロン（商品名））とで構成された布シートを用いることができる。ポリアミド繊維を含むことにより、基台部材１１とカバー部材１２との間の融着を確実に行うことができる。一方で、アクセサリ１を携帯電話用として使用するときは、そのディスプレイ部分をクリーニングできるというメリットが生ずる。具体的には、ポリエステル繊維約７０％とポリアミド繊維約３０％とで構成された布シート１１１が極めて好ましい。
【００２２】
発泡材シート１１３としては、ポリ塩化ビニル、ポリスチレン、ポリウレタンなどの発泡材で構成されたシートを用いることができる。発泡材シート１１３は、必ずしも設けなくても良いが、その使用により、布シート１１１が中央部において弾力をもって膨らみ、アクセサリ１による前記ディスプレイ部分のクリーニング作業が効率的に行える。硬質シート１１５としては、ポリ塩化ビニルなどのある程度の剛性を有する材料で構成されたシートを用いることができる。硬質シート１１５を布シート１１１と樹脂シート１１７の間に挟むことにより、アクセサリ１は所定の形状を保つことができ、かつ安全に使用することができる。樹脂シート１１７としては、ポリ塩化ビニルなどの材料で構成されたシートを用いることができる。この場合、印刷部材１４の文字や図形を暗くしないように、樹脂シート１１７は白色系の色にすることが好ましい。
【００２３】
接着層１１２としては、布シート１１１と発泡材シート１１３とを接着することができる接着材料を用いる。接着層１１４としては、発泡材シート１１３と硬質シート１１５とを確実に接着することができる種類を用いる。接着層１１６としては、硬質シート１１５と樹脂シート１１７とを確実に接着することができる種類を用いる。したがって、接着層１１２，１１４，１１６は、同じ材料の接着層であっても良く、異なる材料の接着層であっても良い。
【００２４】
次に、本発明のアクセサリの製造方法について説明する。
まず、基台部材１１を作製する。布シート１１１、接着層１１２用の接着シート、発泡材シート１１３、接着層１１４用の接着シート、硬質シート１１５、接着層１１６用の接着シート及び樹脂シート１１７をこの順で積層して各シート同士を接着することにより基台部材１１を作製する。作製された基台部材１１を所定の装飾的形状にプレス加工又は切断する。
【００２５】
次いで、基台部材１１上にあらかじめ所定の装飾的印刷を施した印刷部材１４をその印刷面が上になるようにして基台部材１１の樹脂シート１１７上に載置する。印刷部材１４は、基台部材１１とほぼ同一の形状で基台部材１１よりは僅かに小さな寸法にあらかじめプレス加工又は切断しておく。次いで、印刷部材１４上に透明シート１６を載置する。透明シート１６は、基台部材１１とほぼ同一の形状で基台部材１１よりは僅かに小さな寸法かつ印刷部材１４より僅かに大きな寸法にあらかじめプレス加工又は切断しておく。さらに、透明シート１６上に印刷部材１４を覆うようにしてカバー部材１２を載置する。このカバー部材１２は、基台部材１１とカバー部材１２とを融着したときに両者の間に空気１７が入るように、すなわち空間が形成されるように、あらかじめ湾曲させておく。
【００２６】
このように基台部材１１、印刷部材１４、透明シート１６及びカバー部材１２の全てを重ねた状態で、その外周部分１５を融着する。融着する方法としては、例えば、高周波を印加しながら加熱する高周波ウェルダを用いる。基台部材１１の布シート１１１には、ポリアミド繊維が含まれているので、高周波ウェルドにより確実に基台部材１１とカバー部材１２とを融着することができる。なお、この場合に、透明シート１６の周部は、基台部材１１の樹脂シート１１７に直接融着するので、印刷部材１４を取り囲む状態とすることができる。
【００２７】
次いで、融着された基台部材１１及びカバー部材１２により形成される接続部１１Ａに吊り下げ部材１３を取り付ける。このようにして得られたアクセサリ１は、透明シート１６、カバー部材１２を通して印刷部材１４の文字や図形を見ることができる。この場合、カバー部材１２が湾曲していることにより、レンズ効果が発揮され、見る方向によっては文字や図形が大きく見えたり、その見え方が異なる。これにより、アクセサリ１の装飾性が向上する。また、基台部材１１とカバー部材１２との間に空気１７が満たされているので、エアークッション効果を発揮して触り心地の良いものとなる。
【００２８】
また、アクセサリ１においては、印刷部材１４の文字や図形を、パソコンにより自由にデザインし、プリンターを使用して印刷することができる。したがって、いわゆるオーダーメイドのアクセサリが可能となり、例えば、野球チーム全員の背番号と名前を印刷して、チーム全体のアクセサリを作成することも容易である。
【００２９】
さらに、アクセサリ１を製造する方法として、矩形のシート状の基台部材１１を作製し、その上に文字、図形を多数印刷した印刷部材１４、シート状の透明シート１６を載せ、その上に、それぞれの文字、図形を覆うように多数の湾曲部を有し、それらの湾曲部が耳部で連結されたシート状のカバー部材１２を位置合わせして載せ、高周波ウェルダによりすべての耳部を一括して融着し、その後耳部をプレス加工又は切断することにより、多数のアクセサリを一括して製造することが可能である。このようにすることにより生産性をきわめて向上させることができる。
【００３０】
くわえて、アクセサリ１においては、基台部材１１と湾曲したカバー部材１２との間に流体を入れても良い。例えば、アクセサリ１の形状をワインボトルの形状とし、基台部材１１と湾曲したカバー部材１２との間にワイン色の液体を入れる構成を採ることもできる。これにより、さらに趣味感にあふれた装飾的なアクセサリを提供することができる。
【００３１】
本発明は上記実施の形態に限定されず、種々変更して実施することが可能である。上記実施の形態において挙げられた材料、寸法、層構成については特に限定されず、種々変更して実施することが可能である。また、本発明は、携帯電話用のアクセサリとして説明しているが、携帯電話以外の携帯機器用アクセサリ（ノートブック型パソコン、ＰＤＡ）、さらには一般的なアクセサリ（ペンダント、キーホルダー）を同様に作成できることはもちろんである。
【図面の簡単な説明】
【００３２】
【図１】本発明の一実施の形態に係るアクセサリを示す斜視図である。
【図２】本発明の一実施の形態に係るアクセサリを示す断面図である。
【図３】本発明の一実施の形態に係るアクセサリの基台部材１１の構成を示す断面図である。
【図４】従来のアクセサリを示す斜視図である。
【符号の説明】
【００３３】
１１  基台部材
１１Ａ  接続部材
１２  カバー部材
１３  吊り下げ部材
１３Ａ  端部
１３Ｂ  輪部
１４  印刷部材
１５  外周部分
１６  透明シート
２０  携帯ストラップ
２２  金属板
２４  エポキシ樹脂
１１１  布シート
１１２，１１４，１１６  接着層  
１１３  発泡材シート
１１５  硬質シート
１１７  樹脂シート
【図１】
2005160854.tif 000003
【図２】
2005160854.tif 000004
【図３】
2005160854.tif 000005
【図４】
2005160854.tif 000006